(57)【要約】【課題】コンクリートと木質系有機材料とを組み合わせた複合型人工魚礁であって、木質系有機材料の成分効果とポーラスコンクリートの空隙構造との組み合わせを最適化し、藻礁及び魚礁効果が最も高い複合型人工魚礁を提供する。【解決手段】  人工魚礁基盤に連続空隙構造を持つ多孔質なポーラスコンクリートを用いて、アルカリ成分の早期溶脱を促し、かつその複雑な空隙構造とそれに伴う表面特性を海草類の胞子、又は流れ藻の着根空間、または微細な海中生物の棲息空間として利用し、海中生物やプランクトンに好適環境圏を与え、早期から魚礁や藻礁機能が発揮でき、さらに2次形態に係る通路形成までできる複合型人工魚礁。【選択図】      図1
2005143457.tif 000002
【特許請求の範囲】
【請求項１】
多面体を為すコンクリートブロックに、その外表面から突出させて木質系有機材料を固定して設け、給餌機能と施肥機能を持たせて人工魚礁及び藻礁として利用する複合型人工魚礁であって、
前記コンクリートブロックの少なくとも表面部分の一部又は全てをポーラスコンクリート仕上げとし、前記木質系有機材料の１部又は全てを前記コンクリートブロック中に埋設固定したことを特徴とする複合型人工魚礁。
【請求項２】
前記ポーラスコンクリートは、海水側に直接露見する魚礁外面と、海水側には直接露見しない魚礁内部側とを、夫々異なる空隙構造の2重構造としたことを特徴とする請求項１に記載の複合型人工魚礁。
【請求項３】
前記多面体は、水平面、垂直面の他、傾斜面又は及び凹凸球面を備えることを特徴とする請求項１又は２に記載の複合型人工魚礁。
【請求項４】
前記多面体の各面には、その表面の法線方向へ向けて前記木質系有機材料が突設されることを特徴とする請求項１〜３のいずれかに記載の複合型人工魚礁。
【請求項５】
前記木質系有機材料は、その芯材部分に固定用材料が挿通され、前記コンクリート中に直接又は間接に埋設固定されることを特徴とする請求項１〜４のいずれかに記載の複合型人工魚礁。
【請求項６】
前記木質系有機材料の外表面には、複数のインサイジングが施されることを特徴とする請求項１〜４のいずれかに記載の複合型人工魚礁。
【請求項７】
前記木質系有機材料に、海藻の胞子又は及びその繁茂に有用な肥料成分を含浸させたことを特徴とする請求項１〜６のいずれかに記載の複合型人工魚礁。
【請求項８】
多面体を為すコンクリートブロックに、その外表面から突出させて木質系有機材料を固定して設け、給餌機能と施肥機能を持たせて人工魚礁及び藻礁として利用する複合型人工魚礁であって、
前記木質系有機材料を井桁状に組み、その内部にポーラスコンクリートを投設し、前記井桁の隙間から前記ポーラスコンクリートを海水側に露見させたことを特徴とする複合型人工魚礁。
【請求項９】
前記ポーラスコンクリートは、海水側に直接露見する魚礁外面と、直接海水側には直接露見しない魚礁内部側とを、夫々異なる空隙構造の2重構造としたことを特徴とする請求項８に記載の複合型人工魚礁。
【請求項１０】
多面体を為すコンクリートブロックに、木質系有機材料を固定して設け、給餌機能と施肥機能を持たせて人工魚礁及び藻礁として利用する複合型人工魚礁であって、
前記木質系有機材料の側面を海水側に露見した形で升形のコンクリートブロックを形成し、その内部の空間構造部分にポーラスコンクリートブロック、多孔質石材、鉄鉱石、鉱滓、自然石、セラミック処理木炭等の増殖基材を直接水中接触状態で貯留したことを特徴とする複合型人工魚礁。
【請求項１１】
前記増殖基材又は前記木質系有機材料に、窒素、リン酸、鉄イオン等の肥料成分を含有させたことを特徴とする請求項８、９、１０のいずれかに記載の複合型人工魚礁。
【請求項１２】
コンクリートによる耐久性素材と木質系有機材料とを効果的に組み合わせて一体成型し、給餌機能と施肥機能を持たせて人工魚礁及び藻礁として利用する複合型人工魚礁であって、
成型当初の1次形態から、魚礁構成部材が部分的に生物分解による自己消滅過程を経ながら最終的には2次形態に到達することを予定して、前記消滅部分が魚や微細生物の通路となるよう、前記２次形態に係る通路部分に前記木質系有機材料を充当したことを特徴とする複合型人工魚礁。
【請求項１３】
前記２次形態に係る通路は、Ｌ字形又はＴ字形であることを特徴とする請求項１２に記載の複合型人工魚礁。
【請求項１４】
前記２次形態に係る通路は、相隣り合う通路に連通された形状であることを特徴とする請求項１２又は１３に記載の複合型人工魚礁。
【請求項１５】
多面体を為すコンクリートブロックに、その外表面から突出させて木質系有機材料を埋設固定して設け、給餌機能と施肥機能を持たせて人工魚礁及び藻礁として利用する複合型人工魚礁の作り方であって、
前記木質系有機材料を型枠にセットし、前記型枠内に生コンクリートを充填、投設、硬化させて一体成型することとし、
前記型枠の前記木質系有機材料を突出させる位置に該木質系有機材料の直径より十分大きな寸法の孔部を設け、
その型枠表面に前記孔部を覆う板状カバー部材を設け、
前記板状カバー部材は分割構造とすると共に、その中心に前記木質系有機材料の直径より小さい値で定められる一定直径の規定穴を設け、
前記規定穴の直径に合わせて前記木質系有機材料の前記カバー部材の相当位置に前記規定穴の寸法より僅かに大きな径の等径処理を施し、
前記等径処理された木質径有機材料を前記型枠にセットする際、前記等径処理部分に前記板状カバー部材を嵌装、介在させて前記型枠に固定し、その後前記コンクリートを投設することを特徴とする複合型人工魚礁の作り方。
【発明の詳細な説明】
【技術分野】
【０００１】
本発明は、ポーラス又は及び非ポーラスのコンクリートと、木材又は木材以外の有機素材を木材状に形成して成る木質系有機材料とを効果的に組み合わせて成り、給餌及び施肥機能を有し、魚礁及び藻礁として有効に利用可能な複合型人工魚礁に関する。
【背景技術】
【０００２】
海洋沿岸海域は、一般に多用な生物群による生態系を構成しており、特に藻場は海洋生物によって餌場や産卵の場であり、又幼仔魚の生育場でもあり、その環境を適切に維持することが大切である。人工的に有効な藻礁や魚礁を海域に設置することは、海産物の確保のほか、藻場による海中森林としてCO2の固定、水質悪化抑制、生物の多様性の確保を行うこととなり、海産物の生産及び環境保全の面で有効である。加えて、木材を複合して作られる人口魚礁には、木材の新たな利用分野も期待できる。
【０００３】
従来の人口魚礁の殆どは鉄筋コンクリート製で、密実であり、かつ海中に設置当初はコンクリートの強いアルカリ成分溶脱の影響で、海草や海藻等の海中生物や微細生物の着生が遅れ、魚介類の繁茂現象が少ないことが指摘されてきた。
【０００４】
従来木材を利用した魚礁例としては、例えば特許公開2003-225033号公報（間伐材取替式海中林魚礁）や特許公開2003-169563号公報（人工魚礁）等がある。
【０００５】
特許公開2003-225033号公報の魚礁は、コンクリート製の土台に、木製柱を立て、その中に木材を組んで作った格子部を配置し、その上に捨石を入れるための収納枠を配置して成り、収納枠や格子部分を取替可能とするというものである。
【０００６】
特許公開2003-169563号公報の人工魚礁は、貫通穴を有する四角容器内に林産余材、貝殻、石材、ロープから選択される1種以上を含む充填物を充填するというものである。
【０００７】
この他、実用新案登録第3042705号公報では、擁壁ブロックの表面に自然石と木材を混在させて埋設することが示されている。特開2001-172937号公報では、木材表面を無機質材料で被覆することにより海中に設ける木質構造魚礁の耐久性を改善する方法が示されている。さらに、特開2002-369638号公報では、木炭を固形化したものに化学肥料を担持させて魚礁構造物に固定する方法が示されている。特開2001-258414号公報では、予め海藻の胞子を担持させた木コマを魚礁に固定することが示されている。さらに、特開平10-42742号公報では、特定の海藻、特にツルアラメの種苗又は成熟体の根茎を直接構造物に装着させることが示されている。
【０００８】
上記公報に示される魚礁は、全て木材を魚礁特性として利用するものではある。しかし、これらの方式による木材の固定方法では海水生物等による生物分解作用を受けて、特にコンクリートと木材の結合部分や、木材と木材とのボルト結合部分が早期に離散し、基盤と木材が分離、離脱するという問題点があった。離脱した木材片は、海中に散乱、漂流し、魚網に絡み、魚網破損を招く要因となって漁業関係者に敬遠されてきた。
【０００９】
さらに、新設当初の木質系魚礁については、その優位性が認められながらも耐久性の点で改善が望まれていた。又、木材相互の部材間をロープ等でネット状に覆う構造の提案もあったが、これは魚類の本能的な習性から魚礁機能が低くなることが実験でも確認されており、問題点を含んでいる。腐朽した段階で新しい木材と交換する技術方式の提案もあるが、物理的にも経済的にもその実現性は困難である。
【００１０】
この他、従来のコンクリート製の人工漁礁や人工藻礁は、設置物体表面のアルカリ環境の影響で、設置当初において早期の漁礁機能や藻礁機能に期待ができない。また、従来の普通のコンクリートを用いた人工魚礁は、その質が密実で、海藻、海草などの発芽も困難であり、さらに微細な海中生物の棲家となる穴場が皆無である。
【特許文献１】特許公開2003-225033号公報、第１頁、図１
【特許文献２】特許公開2003-169563号公報、第１頁、図１
【特許文献３】実用新案登録第3042705号公報、第１頁、図１
【特許文献４】特開2001-172937号公報、第１頁、図１
【特許文献５】特開2002-369638号公報、第１頁、図１
【特許文献６】特開2001-258414号公報、第１頁、図１
【発明の開示】
【発明が解決しようとする課題】
【００１１】
本発明は、上記従来技術に鑑みて、コンクリートと木質系有機材料の組み合わせを基本とし、木質系有機材料が容易に海水中に離脱する恐れがなく、高度の給餌機能と施肥機能を早期に実現させることができ、もって早期から積極的な魚類の蝟集効果及び海藻の着生効果を期待でき、かつ長期に亘りその機能を維持できる複合型人工魚礁を提供することを目的とする。
【００１２】
また、本発明は、木質系有機材料を井桁状に組み、その内部にポーラスコンクリートを投設し、アルカリ早期除去能力が高く、かつ給餌機能及び施肥機能を高くすることができる複合型人工魚礁を提供することを目的とする。
【００１３】
さらに、木質系有機材料を表面に露見した形で升状のコンクリートブロックを形成し、その内部の空間構造部分にポーラスコンクリートブロック、多孔質石材、鉄鉱石、鉱滓、自然石、セラミック処理木炭等の増殖基材を直接海水中に接触状態で貯留し、前述効果に加えて増殖効果の高い複合人工魚礁を提供することを目的とする。
【００１４】
またさらに、コンクリートによる耐久性素材と木質系有機材料とを効果的に組み合わせて一体成型し、給餌機能と施肥機能を持たせて人工魚礁及び藻礁として利用する複合型人工魚礁であって、成型当初の1次形態から、魚礁構成部材が部分的に生物分解による自己消滅過程を経ながら最終的には2次形態に到達することを予定して、前記消滅部分を魚や微細な生物の通路として、魚礁機能を格別増大させることができる複合型人工魚礁を提供することを目的とする。
【００１５】
さらに、多面体を為すコンクリートブロックとの外表面から木質系有機材料を突出させて一体成型する場合、肌、径、反り等の不特定な丸太であっても均一、容易、高品質に成型することができる複合型人工魚礁の作り方を提供することを目的とする。
【課題を解決するための手段】
【００１６】
上記課題を解決することができる本発明のポーラスコンクリートを用いた複合型人工魚礁は、多面体を為すコンクリートブロックに、その外表面から突出させて木質系有機材料を固定して設け、給餌機能と施肥機能を持たせて人工魚礁及び藻礁として利用する複合型人工魚礁であって、
前記コンクリートブロックの少なくとも表面部分の一部又は全てを、ポーラスコンクリート仕上げとし、前記木質系有機材料の１部又は全てを前記コンクリートブロック中に埋設固定したことを特徴とする。
【００１７】
多面体としては、水平面、垂直面のみによる角形のものの他、魚類の棲息環境を考慮して、傾斜面又は及び凹凸球面を備える方が好ましい。各面には、その表面の法線方向へ向けて前記木質系有機材料を突設して設ければ、各面から突設された木質系有機材料により、魚や微細生物及び海藻類が繁茂できる林が生成され、魚礁効果を高くすることができる。
【００１８】
本発明で用いることができる木質系有機材料は、製材された、又はされていない杉等の間伐材の他、有機物を丸太状に成型したもの等も含む。また、間伐材としては、樹皮が付いたもの、樹皮が取り除かれたものいずれであっても良い。
【００１９】
本発明で用いるポーラスコンクリートは、選定された寸法の骨材をバインダー剤を用いて硬化成型したものである。バインダー剤には、肥料成分や、Fe、Ca、アンモニウム等のイオンを担持させたゼオライト類を混合することもできる。
【００２０】
また、砕石寸法を例えば10〜40mmの範囲で段階的に変化させることにより、空隙率、透水性等の特性を変化させることができる。さらに、これら特性の異なるポーラスコンクリートを、これら又はこれらと通常コンクリートとを組み合わせ、特性変化させることができる。例えば、空隙率大のものを外表面に位置させ、密なるものを内側に位置させ、魚礁基盤コンクリートが海水側に直接露見する魚礁外面と、直接海水側に露見しない魚礁内部側とを、夫々異なる空隙構造の2重構造とするのが好ましい。
【００２１】
これにより、アルカリの早期除去が可能となり、十分強度を保持し、かつ各構造内で、その特性に見合った種別の微細生物を夫々多量に棲息させることができ、さらに栄養源を内部に貯留することができる。
【００２２】
前記木質系有機材料を前記コンクリート中に固定するには、その芯材部分を埋設固定するのが好ましい。埋設又はボルト固定等固定材料を用いての全ての固定に対し、芯材部分に鉄筋等の固定用材料を挿通し完全固定すべきである。芯材部分は、腐食し難く、最後まで残る。生物分解によって全体が腐食し切る途中で離脱することがなく、部分的な分離、離脱を生ずることがない。
【００２３】
前記木質系有機材料の外表面には、複数のインサイジングを施すことができる。インサイジングには、ドリル等による穿孔も含む。これらインサイジングにより、表面露見効果を大とするのみならず、これらインサイジングを介して前記木質系有機材料に海藻の胞子又は及びその繁茂に有用な肥料成分を含浸させることができる。
【００２４】
以上の構成に係る本発明の複合人工魚礁によれば、その質が密実で物理的構造形態に問題の多い従来の普通コンクリートの１部又は全てをポーラスコンクリートで代替するので、従来のコンクリート魚礁が欠点とする設置当初におけるアルカリ環境の弊害を改善でき、早期の水中生物の付着性に優れる。また、ポーラスコンクリート特有の空隙構造内に多量の微生物ないし微細生物を棲息させることができる。
【００２５】
本発明で用いる多孔質なポーラスコンクリートは、連続空隙構造を持ち、その空隙直径は、1.0mm〜20mm程度の空隙が連続して存在し、複雑な断面形状を構成している。これらの空間には、海草や藻類、又は魚介類、海中生物等が早期に着生する。特に、その空隙構造は不規則な断面を持つ空間が相互に連続して構成されており、連続空隙率で20〜30％を保有させて製造することができる。透水機能に関しては、透水係数が毎秒2〜5cmで、毎秒160〜400cc/（sec・cm2）と極めて高く、流水性が高い。よって、海水中に設置直後から早期に中性化が促進され、かつ微細生物を棲息させることができる。
【００２６】
木材のリグニン、セルロース、ヘミセルローズ、デンプン等の多糖成分は、木材のピット構造を通じて緩効な給餌や、施肥機能を具現することができる。木材の表面又は内部に複数個のインサイジング加工を行い、これに海草や海藻に有用な窒素、リン酸等Fe、Si等の肥料成分を含む栄養液を含浸、含有させることができる。この他、餌としてのリンゴ酸、魚の成長を促進する微細生物や、海底のヘドロの分解を促す微細生物等の機能微細生物のストックスペースとして利用できる。表面付近にストックする方法の他に、同様の成分を木材の辺材部分に加圧注入して、硬化をより暖効型に調節することも可能である。複合された木材は初期に溶脱するコンクリート中のアルカリ環境を大幅に緩和、又は軽減し、早期から藻場の繁殖その他の海洋生物の棲息空間として積極的に機能させることができる。
【００２７】
さらに、ポーラスコンクリートの空隙構造は、海水中の生物にとって極めて良好な棲息空間又は、定着空間となる。つまり、ポーラスコンクリート製の魚礁には、表面及びその内部に藻類、もしくはゴカイなどの多毛類、軟体動物などの生物が棲息するなど、繁茂形態が従来のコンクリートブロックと比べ格段に優れている。育成された微細生物は魚の餌となる。
【００２８】
また、ポーラスコンクリートの空隙構造はそのまま複雑な表面形状を呈するので、その内部に限定されず、表面の窪みに多様な生物が付着できる。緻密な構造体である従来の普通コンクリートによる人工魚礁基盤では、海中を漂流する海藻や胞子が固定物に漂着してもその基盤が滑面であるためそこを基盤として発芽に至り、更にそこに根茎を伸ばし定着する事は難しい。しかし、ポーラスコンクリートは、その空隙構造に伴う表面特性である窪みや孔部に浮遊海藻や胞子の漂着による‘からまり’効果と呼ばれる物理的作用が働き、確実な繁殖基材的機能を発揮できる。また多様な生物の表面棲息空間は、そのまま内部に通ずる棲息空間の入口である。従って、奥行きの伴う多様な生物の棲息空間とすることができる。このようにポーラスコンクリートは、海藻が生殖期に放出する放走胞子などを効率良く定着させる優れた藻場機能を発揮し、もって給餌機能の充実を図ることができる。
【００２９】
本発明では、多孔質のポーラスコンクリートに木材等の有機質構造材を有効に複合させるので、セルロース、ヘミセルローズ等の多糖質成分がキクイムシ、フナクイムシを始めとする海洋生物に食物連鎖機能をもたらし、更に多様な水中生物や水中プランクトンに好適環境圏を与え、早期から漁礁や藻礁機能を発揮することができる。
【００３０】
杉などの木材は、ピット構造と呼ばれる多孔質材料であるので、木材の成長過程からこのピット構造が水分や養分の捕給経路であったことから、特に辺材部分は吸水性が高い。本発明では、この特質を利用して直接又は間接的に有効な各種イオンや化学肥料成分などをストックする目的で、木材の表面付近に物理的なインサイジング等によるストックスペースを設けて、個々に海草類の胞子を装填することができる。これにより、ストックされた成分を緩慢に放出することができ、藻場育成することができる。
【００３１】
次に、本発明の井桁形の複合型人工漁礁は、多面体を為すコンクリートブロックに、その外表面から突出させて木質系有機材料を固定して設け、給餌機能と施肥機能を持たせて人工魚礁及び藻礁として利用する複合型人工魚礁であって、
前記木質系有機材料を井桁状に組み、その内部にポーラスコンクリートを投設し、前記井桁の隙間から前記ポーラスコンクリートを海水側に露見させたことを特徴とする。既に示したポーラスコンクリート製のものと同様に、魚礁基盤コンクリートが海水側に直接露見する魚礁外面と、直接海水側に露見しない魚礁内部側とを、夫々異なる空隙構造の2重構造とすることもできる。
【００３２】
井桁構成される木質系有機材料同志は、相互に芯材部分を貫通してボルト結合することが好ましい。内部に投設するポーラスコンクリートは、他のポーラスコンクリートや普通コンクリートと組み合わせ、2重、3重構造とすることができる。
【００３３】
増殖基材としては、直径10〜30cm級のポーラスコンクリートブロック、天然ゼオライト等の多孔質石材、鉄鉱石、鉄滓、自然石、木炭をセラミックスで覆ったセラミック処理木炭等を用いることができる。木質系有機材料には、窒素、リン酸、鉄イオン等の肥料成分を含有させることもできる。
【００３４】
本発明の升形の複合型人工漁礁は、多面体を為すコンクリートブロックに、その外表面から突出させて木質系有機材料を埋設固定して設け、給餌機能と施肥機能を持たせて人工魚礁及び藻礁として利用する複合型人工魚礁であって、
前記木質系有機材料を表面に露出した形で升形のコンクリートブロックを形成し、その内部の空間構造部分にポーラスコンクリートブロック、多孔質石材、鉄鉱石、鉱滓、自然石、セラミック処理木炭等の増殖基材を直接水中接触状態で貯留したことを特徴とする。升形状は、木質系有機材料の丸太のみで形成することも可能である。また、丸太の側面を露見する形で、丸太とコンクリートとを組み合わせて成型することも可能である。更に、ポーラスコンクリートで升形を作り、それより丸太先端を突出させる形等を取ることもできる。
【００３５】
前記増殖基材又は前記木質系有機材料に、窒素、リン酸、鉄イオン等の肥料成分を含有させることができる。丸太側面を露見させる場合、露見部分の幅は、丸太径の半分程度とするのが好ましい。芯材を通しての相互のボルト結合による本体からの離脱を防止できるが、丸太と升形状との接触部分を逆テ―パ状とすれば、離脱を完全に防止することができる。
【００３６】
本発明の2次通路生成可能な複合型人工魚礁は、コンクリートによる耐久性素材と木質系有機材料とを効果的に組み合わせて一体成型し、給餌機能と施肥機能を持たせて人工魚礁及び藻礁として利用する複合型人工魚礁であって、成型当初の1次形態から、魚礁構成部分が部分的に生物分解による自己消滅過程を経ながら最終的には2次形態に到達することを予定して、前記消滅部分が魚や微細生物の通路となるよう、前記2次形態に係る通路部分に前記木質系有機材料を充当したことを特徴とする。前記2次形態に係る通路は、Ｌ字形又はＴ字形等とすることができる。また、前記2次形態に係る通路は、相隣り合う通路に連通された形状とすることもできる。
【００３７】
木質系有機材料が消滅した後、2次形態に係る通路が形成できるので、魚を始め微細生物の棲息域を増加させることができ、魚礁及び藻礁の機能を一層高めることができる。
【００３８】
本発明の複合型人工魚礁の作り方は、多面体を為すコンクリートブロックに、その外表面から突出させて木質系有機材料を埋設固定して設け、給餌機能と施肥機能を持たせて人工魚礁及び藻礁として利用する複合型人工魚礁の作り方であって、
前記木質系有機材料を型枠にセットし、前記型枠内に生コンクリートを充填、投設、硬化させて一体成型することとし、
前記型枠の前記木質系有機材料を突出させる位置に該木質系有機材料の直径より十分大きな寸法の孔部を設け、
その型枠表面に前記孔部を覆う板状カバー部材を設け、
前記板状カバー部材は分割構造とすると共に、その中心に前記木質系有機材料の直径より小さい値で定められる一定直径の規定穴を設け、
前記規定穴の直径に合わせて前記木質系有機材料の前記カバー部材の相当位置に前記規定穴の寸法より僅かに大きな径の等径処理を施し、
前記等径処理された木質径有機材料を前記型枠にセットする際、前記等径処理部分に前記板状カバー部材を嵌装、介在させて前記型枠に固定し、その後前記コンクリートを投設することを特徴とする。
【００３９】
木質系有機材料が、間伐材丸太である場合、丸太は、元口と末口の径が異なり、反り、曲がりを有し、必ずしも一定でない。そこで、本発明では、丸太に等径処理を行い、板状カバー部材を用いて、異質丸太を定形処理することができる。
【００４０】
コンクリート投設後の仕上がりでは、板状カバー部材を除去した後に、丸太の等径処理部分が露出されるが、芯材までの切削処理は行なわないので強度上の問題はない。これらの処理により、空出量及び方向を一定化でき、埋設量を一定量とすることができる。等径処理を行う装置としては、等径処理幅の寸法を切込むことのできる丸鋸と、丸太両端を軸を定めて支持できる一対のクランプ装置と、このクランプ装置でクランプした丸太を回転させる回転装置とで構成することができる。クランプした丸太を回転させて、丸鋸で切削処理することにより、丸太の一定位置に、軸の回りに等径処理の溝を切込むことができる。等径処理の寸法は直径15、20、25cm等と、適切に定めることができる。等径処理では、強度保持の観点から芯材までは切込まない。
【発明の効果】
【００４１】
本発明のポーラスコンクリートを用いた複合型人工魚礁は、木質系有機材料と複合化され、その表面の１部又は全てを最適生物棲息環境を創成できるポーラスコンクリートで覆うので、アルカリ除去機能が高く、藻の発生期間を短縮し、人工魚礁の機能を早期に具現し、かつ魚礁効果を最大とすることができる。特に、ポーラスコンクリートを用いるので、表面から内部にかけて、多彩な生物棲息環境を作ることができ、多量の海中微生物ないし微細生物を棲息させることができる。
【００４２】
ポーラスコンクリートは、性質の異なる複数のポーラスコンクリート又はそれと普通コンクリートとの複合化により、多層構造とすることができるので、その表面性質の調節が可能であり、一般には、表面側を粗とし内面側を密とすることにより、藻、海藻、魚、微細生物の棲息環境を最適に設計できる。ポーラスコンクリートは透水性が高いので、海水の流通性も高く、酸素供給度合いも調節できる。
【００４３】
多面体には水平面、垂直面の他、傾斜面又は及び凹凸球面を設け、夫々の法線方向へ木質系有機材料を表面から突出された形で設けることができるので、海中に木質系有機材料を林立することができ、設置当初の極度のアルカリ溶出を緩和でき、魚礁効果を最大限に発揮することができる。
【００４４】
さらに、木質系有機材料、特に丸太の固定を芯材を通して行うので、それが容易に離脱し、漁場に浮遊させてしまうような恐れが無い。
【００４５】
またさらに、木質系有機材料にはインサイジングを設け、それらの中に海藻の胞子又は及びその繁茂に必要な肥料成分を含浸させることができるので、海藻の発生を促進することができる。
【００４６】
本発明の井桁形の複合型人工魚礁によれば、木質系有機材料を井桁状に組み、その内部にポーラスコンクリートを投設するので、井桁状の木質系有機材料の間にポーラスコンクリートを臨ませた形の人工魚礁を作ることができ、給餌機能と施肥機能を最大効率で効果的に実現することができる。
【００４７】
本発明の升形の複合人工魚礁では、升形を普通コンクリート又はポーラスコンクリートと木質系有機材料とを組み合わせて作り、その内部を増殖基材の投入空間とし、内部空間構造内には、ポーラスコンクリートブロック、多孔質石材、鉄鉱石、鉱滓、自然石、セラミック処理木岩等の増殖基材を貯留でき、漁礁及び藻礁として効果の高い人工魚礁とすることができる。木質系有機材料には、窒素、リン酸、鉄イオン等の肥料成分を含浸させることができるので、確実に藻の発生及び育成を図ることができる。
【００４８】
本発明の2次形態に係る通路を生成可能な複合型人工魚礁によれば、成型当社の１次形態から、魚礁構成部分が部分的に生物分解による自己消滅過程を経ながら最終的には２次形態に到達することを予定して、木質系有機材料をＬ字形、Ｔ字形とし、又はそれらを相互に連通した形で埋設するので、木質系有機材料の消滅後、2次形態に係る通路が形成できる。通路形成部分は魚や微細生物の通路となり、かつ海水の流水経路となるので、生物棲息環境の拡大化を図ることができ、魚礁、藻礁としての機能が向上する。
【００４９】
本発明の複合型人工魚礁の作り方によれば、木質系有機材料に等径処理を施し、等径処理を施した部分に板状カバー部材を介在させて、容易、正確に埋設量を一定化して、高品質に成型できる。板状カバーを用いて容易に成型できるので、製造工数少なくして、安価に提供できる。
【発明を実施するための最良の形態】
【００５０】
以下、添付図面を参照しつつ、本発明を実施するための最良の形態を説明する。図１〜図１０は、本発明のポーラスコンクリートを用いた複合型人工魚礁の一実施形態を示す説明図である。
【００５１】
図の説明に先立ち、人工魚礁に用いるポーラスコンクリートの有用性について示す。ポーラスコンクリートは、一定寸法の砕石をバインダー剤で固めたものであり、最大の特徴は空隙空間を有し透水性が高い点にある。連続した空隙を持つポーラスコンクリートはその表面で遊走子が定着し易く、その内部で様々な生物を棲息させることが可能であり、藻場礁の基盤として極めて有効である。
【００５２】
ポーラスコンクリートの有用性を実証するため、5号砕石を基材とし、セメント量に対し10重量％の人工ゼオライトを配合したバインダー剤を用いて、１辺の長さ40cm、高さ25cm、斜辺の長さ32cmの4角錘のブロック（重量25kg/個、空隙率25％、体積0.013m3）を作り、宮崎県日南市の西日本オーシャンリサーチ社に依頼し、平成14年4月から平成15年5月にかけ、2回の追跡調査を行った。第1回の調査では、海中に平成14年4月から9月までの間2ヶ所（st1、st2）に沈設し、引き上げたポーラスブロックを試験室に持ち帰り、宮崎市中西町の南九州水園環境生物研究所で、底面を除く表面に棲息する生物名と固体数及びその湿重量測定を多毛類、棘皮動物、軟体動物、甲殻類、海藻類に分類して調査した。第2回の調査では、平成14年4月から平成15年2月まで沈設した供試体について、表面の10cm×10cm角内の深さ10cm内に棲息する生物名と個体数及びその湿重量測定した。夫々の調査結果を表１、表２に示す。表１中の備考には、最も多くみられた生物名を示してある。
【表１】
2005143457.tif 000003
【表２】
2005143457.tif 000004
表１及び表２に示す調査に先立っては、潜水により、生物付着状況を確認している。平成14年2月27日（234回目）では、第1の設置場所において、周辺の植生状況は前回（141回目）の80％に対し、今回90％となっていた。そのとき、ヤツマタモクが多かった。ブロック表面の海藻種付着状況は、前回70％に対し、今回90％で、ヤツマタモクが70％を占めていた。無節石灰藻は10％であった。第2の設置場所では、周辺の植生状況が50％から70％へと増加していた。特にクロメの増加が見られた。ブロック表面の海藻種付着状況は、平均して前回60％に対し89％であった。ムラサキウニが多く見られた。
【００５３】
表１及び表２に示すように、ポーラスコンクリートは、普通コンクリートならせいぜい藻が付くだけであるのに対し、その物理的性質から微細生物を多量に育成することができることができる。これらの微細生物は、いずれ魚の餌となるものであり、給餌機能の高い人工魚礁となる。しかも、アルカリ離脱速度が速いので、藻発生時期が早い。
【００５４】
本発明で用いるポーラスコンクリートの好ましい製造方法を示すと、従来の河川用のポーラスコンクリートは粗骨材粒径が20mm程度の砕石を用いてきたが、これでは空隙径も1.0から2.5mm程度で海洋性の多様な生態対応するには空洞範囲が狭小である。そこで、本発明では魚礁用又は藻礁用の基盤として用いる多孔質コンクリートとして粗骨材の最大寸法を40mm程度とし、連続空隙率を25％以上とする。これにより、空隙径の寸法1.0mm〜20mm程度が得られる。2層構造とする場合には、粗骨材の最大寸20mm程度の従来型ポーラスコンクリートを内部に設け、棲息生物の多様化を図るものとする。海水に直接触れない漁礁の内側に用いる多孔質コンクリートの粗骨材の最大寸法は20mmで、空隙径の寸法1.0mm〜5.0mm程度、連続空隙率は25％以上のものが好ましい。最内側層は、コスト抑制理由からポーラスコンクリートに代わって普通のコンクリートを使用しても良い。
【００５５】
図１及び図２に示すように、本発明のポーラスコンクリートを用いた複合型人工魚礁１は、ブロック２の表面から木質系有機材料としての丸太３を突出させて成り、ブロック２の底面には、半円弧の通路４を十字に交差させて形成すると共に略1/2の高さ位置から上部の面を略45度でカットして傾斜面を作り、中央縦方向には前記通路４に向けて貫通する縦穴６を設け、魚礁効果を高くすべく形状を多様化している。丸太３は、木質系有機材料の代表として示すものであるが、断面は円形でなくとも、半円、四角等、他の形状であっても良い。また、木材以外の有機物の成型物を単独又は組み合わせて用いることもできる。表面から突出させる丸太３は、例えば杉間伐材であるが、樹皮を付け、又は付けず利用される。檜や松を使うことも可能ではあるが、生物育成の観点から、杉や雑木の方が好ましい。
【００５６】
図２、図３に示すように、丸太３は、ブロック２内に埋設した丸太７（７a、７b、７c、７d）と接続されている。埋設丸太７aは、長尺丸太の製材品で、その両端付近に突設用の丸太３を接続している。ここでは、この接続形状をπ形と呼ぶ。埋設丸太７bは、製材していない。埋設丸太７cは、１つの突設丸太３に対しＴ字形に接続されている。埋設丸太７dは、突設丸太３に対しＬ字形に接続されている。突設丸太３に対し埋設丸太７をπ形、Ｔ字形、Ｌ字形等に結合することにより、生物分解により消滅したときは、連結部分を魚や微細生物の通路とすることができる。突設丸太３は、本例では、垂直面、水平面、凹凸球面、傾斜面、全てにおいて、その法線方向に設けている。丸太３の設置方向は、これに限定されない。丸太３、７相互の接続は、図３の（c）（d）に示すように、必要に応じて、Ｔ字形、Ｌ字形の固定プレート８、９を用いる。
【００５７】
埋設丸太７は、消滅後、通路を形成することを目的とするので、長い通路を他の通路と連続させつつ、かつ十分な海流を得られるよう最適に設計される。このため、図３に示した埋設丸太７に限定せず、丸太でない他の有機材料の成型品、例えばオガ屑を圧縮成型した管状のもの、柔軟なもの等、各種の形状の木質系有機素材を連結構成することができる。コンクリート成型作業では、まず、これらの材料を使って、埋設強度を保持しつつ形路構築し、その後コンクリート投設して、埋設丸太７全体の回りをコンクリートで覆った形とする。
【００５８】
ブロック２は、ポーラスコンクリート製であるが、ポーラスコンクリートは表面のみとし、内部には、普通コンクリートを用いることも可能である。ただし、図１及び図２に示すような複雑形状であれば、各部は比較的肉薄であるので、普通コンクリートの投設は複雑である。従って、この種ブロック２では、上下2重構造とする程度とし、内外方向で2重構造とする必要はない。
【００５９】
ポーラスコンクリートの配合例を示すと、本発明で用いることができるポーラスコンクリートとしては、粗骨材40mmのもの（PC１）、と粗骨材20mmのもの（PC２）を2種配合し、一般には、表面側に40mmのものを、内側には、細い方のものを用いる。表３及び４に夫々の特性表を示す。表中、Ｗは水の量、ＨＣは早強セメントの量、Ｇは砕石の量、Ｓは細砂の量を示す。この他、混和剤等が適量配合される。
【表３】
2005143457.tif 000005
【表４】
2005143457.tif 000006
表中の配合において、寸法20mm、40mmの砕石に関し、粒度分布が不連続で規定寸法に偏っていることが重要である。即ち、粒度は最大寸法を示すものではなく、多くの砕石が、その寸法に偏り、一定寸法であることが好ましい。空隙構造を定型化するためである。
【００６０】
砕石寸法は、最大50mm位まで利用することができる。20〜50mmの範囲で種々設計できるが、夫々に生物棲息環境の特性が異なるので、区別して利用する。
【００６１】
図４には、突設丸太３のブロック２内部での固定方式を示した。（a）図に示すように、鉄筋１０を用いる場合、必ず丸太３の芯材（黒芯）を貫通させることとしている。（b）図は、芯材１１を削り出し、ここに鉄筋１０を通したものである。黒芯部分である芯材１０は、白肉部分より腐食し難く、生物分解が生じても最後まで残る部分である。従って、芯材１１に鉄筋１０を通すことにより、突設丸太３の海中への離脱を防止することができる。木材等をコンクリート表面から突設させる別の方法として、木材の表面をほぼ一致させた状態でコンクリート中に埋設し、コンクリート表面積の一部を木質系材料に置き換えた形態とすることができる。これにより、木材等の有機質素材を複合して、製作当初の木材の露出面効果を高くすることができる。このようにして露出面効果を高くした実施形態については図１５で示す。
【００６２】
図５は、突設丸太３の他の固定方式を示す説明図である。本例は、丸太３の中心までボルト１２の径より僅かに大きな幅の背割り部１３の加工を施し、ブロック２側にインサート金具１４を埋め込み、背割り部分の横方向から長尺ボルト１２を通し、それをインサート金具１４に締付け固定するようにしたものである。突出丸太３を安定して固定するため、インサート金具１４を設けるブロック２には、できるだけ深い凹面１５を設けておくことが好ましい。
【００６３】
図６に示すように、突設丸太３の中心にボルト１２を挿通可能な貫通孔を設け、これにボルト１２を通して、前述インサート金具１４に蝶合して固定することもできる。
【００６４】
図７は、突設丸太３の表面にインサイジング１６又はドリルによる穿孔を設けた例を示す斜視図である。インサイジングの断面形状は、図８に示すように、円錐台１６a、円柱状１６b、Ｖカット１６c等様々に行うことができる。インサイジングは、レーザ加工等により、木材内部まで均等に深入れすることが好ましい。
【００６５】
図９に示すように、例えば円柱状に形成したインサイジング１６b又は穿孔に、有用な微細生物をコーヒー殻や米糠、モミ殻、おが屑、人工ゼオライト等と共に固定して成る装填物１７を充填することができる。魚の餌としてリンゴ酸をふくめることもできる。ピットには、栓１８を設けて、有用成分を緩慢に放出するようにすることができる。
【００６６】
インサイジングは、インサイジングマシン、斧による切り口加工、ドリル穿孔、更に本格的な方法としてレザーインサイジング装置等を用いて行うことができる。インサイジングの深さは直径の10％以上でなるべく深い方が良く、貫通させる場合もある。開口部の大きさなどは目的毎に定めれば良い。インサイジングの間隔はランダムに配置する。
【００６７】
微細生物の固定を行う場合はドリルによる穿孔も行う。この場合も前述のインサイジングと同様に封入し、その後、木栓、セメントモルタル、その他の素材で確実に栓１８をする。海草に有用な肥料成分としては、窒素肥料等を固形化したもの又はこれ等を含浸させた固定体を穿孔したピット内に直接封入する。栄養源と肥料成分はピットを分けて構成することもできる。肥料成分等を水溶液としてインサイジングした木材に加圧注入することもできる。加圧注入する注入量は溶解濃度により適宜条件に合わせて決定すればよい。注入木材は含水率25％以下に予め十分乾燥させることが必要である。この状態で木材1m3当り約200〜300kgの水溶液が注入できる。加圧注入の他に溶液中にドブ漬け含浸させることもできる。
【００６８】
木材に含浸させた有効成分は木材内に一時的に貯留され、自然放出し、もしくは随時食物分解を受けながら海藻や海中生物、魚介類に優れた棲息環境を提供する。また、有効成分等を含浸させない木材でも、セルロース、ヘミセルロース等、木材が含む固有成分やデンプン等の食物繊維が海水中のフナクイムシやキクイムシなどを始めとする多様な海中生物によって生物分解される。その結果、この複合型人工魚礁の周辺環境では、水中微細生物やプランクトンなども豊富になり、消化共生現象による食物連鎖効果が機能する。
【００６９】
図１０は、図１及び図２に示した突設丸太３の外方に、別の木質系有機材料丸太１９を横架したものである。丸太１９の横架は、突設丸太３に対し、ボルト１２を用いて強固に結合するものとする。図４で示した理由から、ボルト１２は、丸太１９の芯材に対して挿通する。横架する丸太１９をボルト１２で固定する間隔Ｐは、腐朽し切る寸前で、長尺浮遊物を離脱させないため、1m以内とするのが好ましい。図示のブロック２０は、図１及び図２に示したものと同一でなくとも良い。ただし、表面の１部又は全てはポーラスコンクリート製である。
【００７０】
以上の構成に係る本発明のポーラスコンクリートを用いた複合型人工魚礁１によれば、木材などの有機系素材は設置当初からコンクリート表面のアルカリ環境の緩和機能を果すと共に、木材の繊維質とか木材の成分、又はその後に封入された成分が溶脱して海中生物の給餌機能、及び海藻類への施肥機能を果し、多孔構造の増殖基盤と相俟って水中生物の早期着生、培養環境を整える。突起させた木材部分は海中に漂う流れ藻の絡まり捕集効果で海藻の着生を積極的に促進させ、早期に藻場基盤を形成することができる。
【００７１】
また、木質系有機材料の生物分解に応じて、その消滅部分が魚や微細生物の通路となるよう構成するので、木質の繊維部分は海中生物や魚介類による生物分解作用を受けて緩やかに当初の魚礁空間や形態から変形を辿り、その抜け殻は斬新で魅力的な魚礁空間として自己形成され、終局的にはアルカリ環境も改善されて人為的には製作困難な複雑で多様な形態の魚礁空間を構築することができる。
【００７２】
ベースをなす基盤体にはアルカリ溶脱の迅速化ができ、かつ生物の居住空間を備えることができる多孔質ポーラスコンクリートを用い、肥料成分をストックできる木材等で複合化している。
【００７３】
本人工魚礁１は、設置当初から積極的に魚礁又は藻礁機能を発揮することができる。即ち、保肥又は保餌スペースを備えた木材等の構成材とこれを固定する多孔質コンクリートとが相互の品質特性を補間し、かつ自己蘇生機能が働き、従来人為的、経済的に製造が困難であった複雑で多様な魚礁空間までが構築できる。その結果、魚種の多様性や、回遊定着性の向上、魚介類や海藻等の多様な水生生物に適応できる理想的な棲息空間を設計できる。食物連鎖現象も甦り、魚介類や海藻類その他の水中生物の成長サイクルに順応できる。魚礁空間の形成、多様な生態系環境が整う。空隙特性や表面特性による浮遊海藻や胞子の漂着や、からまり効果に誘引される海草や海藻の定着ができる。木質材から供給される施肥機能、給餌機能により、積極的な藻場が造成される。藻場は多様な生物群集による生態系を構成して、そこは海洋生物によって餌場や産卵、幼稚魚等の生育場となる。磯焼け現象抑止対策として、又は水産資源の確保対策として有効である。
【００７４】
図１１及び図１２は、本発明の井桁形の複合型人工魚礁２１の一実施形態を示す説明図である。図１１に示す井桁組２２内に多重のポーラスコンクリートPC１、PC２を打設することにより、漁礁及び藻礁として効果の高い複合型人工魚礁２１を作ることができる。
【００７５】
図１１に示すように、井桁組２２は、縦材２３及び横材２４を縦又は横方向に配置して交互に重ね合わせ井桁状に組み上げたものである。各材料の間には、他の材料の幅の隙間２５ができる。結合は、長尺ボルト１２を用いて行う。ボルト１２による結合は、芯材を通し、周囲4点の他に、中間部を貫通させて行う。この貫通は、必ずしも上下間の全材料を貫通させる必要はなく、部分的には途中で止めた形としても良い。固定ピッチＰは、図１０で示したと同様に、1m内外又はそれ以下の寸法とする。
【００７６】
縦材２３又は横材２４の端部は外方に突出するので、この部分は、図１及び図２で示した突設丸太３の突設部分に相当する。縦材２３又は及び横材２４の任意の中間位置には、図示しない丸太を介在させ、中間位置からさらに突設丸太３を突出させた形とすることもできる。この中間位置に設けた丸太の埋設部分は、その消滅によって通路形成できるので、図３で示したと同様の2次形態に係る通路生成機能を有する。
【００７７】
図１２に示したように、ポーラスコンクリートＰＣ１、ＰＣ２は、2段に分けて打設することができる。具体的には、底部に目の粗い第1のポーラスコンクリートＰＣ１を打設し、井桁内部に木製の内枠２６をセットし、その中に第2の目の細いポーラスコンクリートＰＣ２を打設し、次いでその外側に再度目の粗いポーラスコンクリートＰＣ１を打設する。隙間２５には、適宜閉寒用の仮板を当てておき、コンクリートが漏れないようにする。適宜内枠２６を用いることもできる。内枠２６は木製板とし、取り外さないほうが好ましい。各ポーラスコンクリートＰＣ１、ＰＣ２の境界は明瞭に区分する必要はないので、適宜内枠２６は両者を分離してしまわない形で挿入し、用いる。木質系有機材料の１部として利用でき、それが消滅の場合には、その部分の通路が自己生成できて好ましい。ポーラスコンクリートＰＣ１、ＰＣ２相互の間の水の流路を阻害させないためには、ポーラスコンクリートＰＣ２が漏れないだけの小穴を多数設けておけば良い。
【００７８】
以上示した井桁形の複合人工魚礁２１によれば、突設丸太３を備えるので、木質系有機材料の複合効果を発揮することができる。また、井桁の隙間２５からポーラスコンクリートＰＣ１を臨ませることができ、その空隙構造によって生物棲息環境を改善し、魚礁、藻礁としての効果を最大限に高めることができる。さらに、木材である縦材２３及び横材２４、並びに中間位置に介在させた木材等が腐朽し、消滅すると、凹面ないし通路が自己生成され、生物棲息環境の更なる向上が期待できる。
【００７９】
図１３及び図１４は、升形の複合型人工魚礁２６の一実施形態を示す説明図である。丸太による外枠材２７を積み重ね升形に組み合わせて相互を縦、横、高さ、斜めの方向に通したボルト１２で結合し、その内部にポーラスコンクリートＰＣ１を打設したものである。
【００８０】
本実施形態に係る人工魚礁２６は、微細生物の棲家を提供できる。大量の微細生物を棲息させることができる。単独で用いることもできるが、他の人工魚礁と組み合わせて用いることもできる。ポーラスコンクリートＰＣ１の外側を丸太で囲った状態であるので、微細生物にとって施肥及び給餌について高機能を発揮できる。図示の状態から、外枠材２７間には隙間が見えないが、外枠材として間伐材を用いる場合、実際には、その曲がりや反りによって数mm〜数cmの隙間が生じている。隙間は必要に応じ、スペーサの介在によって調節可能である。故意に穴を穿孔することもできる。さらに、木材消滅による通路自己生成機能を具現するため、ポーラスコンクリートＰＣ１中に、木材を埋設しておくこともできる。
【００８１】
図１５及び図１６は、本発明の升形の複合型人工魚礁の他の実施形態を示す説明図である。本複合人工魚礁２８は、ポーラスコンクリート製で、升形のブロック２９の内側に空洞３０を設け、この中に直径10〜30cm級のポーラスコンクリートブロック、多孔質石材、鉄鉱石、鉱滓、自然石、セラミック処理木炭等の増殖基材を直接水中接触状態で貯留できるようにしたものである。底部は、水流形成の多数の穴を設けるか、網を張る等している。
【００８２】
升形を構成する辺の断面には、図１６に示すように、腐食に伴い構造形態や機能を変化すべく、側面を内外表面に露見させた丸太３１が3段に埋め込まれている。各段には、2本の丸太を並列に組み合わせ、組み合わせた丸太３１の両側面が、夫々升形状の外側又は内側に臨む形となっている。2列の丸太３１は芯を通してボルト１２で結束し、各段を通して、組み合わせた丸太３１の両側付近を1対のボルトで固定している。埋設される丸太３１の断面形状は腐朽過程でコンクリート本体から離脱ないし滑り出さないよう、外表面に臨む部分の面積を丸太直径より小さくして、材料相互の接触面をいわば逆テ―パ状としている。
【００８３】
ブロック２９は、ポーラスコンクリートＰＣ１又はＰＣ２とするが、普通コンクリートも利用することができる。又は、ポーラスコンクリートに普通コンクリートとを組み合わせて用いることもできる。
【００８４】
空洞３０の内部には、球形のポーラスコンクリートを始めとして、多孔質石材その他の増殖基材を投入できる。増殖基材は、水中に直接接触され、升形状の壁面を介して海域と連通されるので、その成分を緩慢に海水中に放出することができる。また、壁面構成部材と関連して、これらが有する空隙構造内で微細生物を育成することができる。さらに、丸太３１の生物分解に伴う腐朽により、その部分を魚類等の通路に変化させることができ、長年に亘り、効果を増加さすべく藻礁及び魚礁効果を発揮することができる。
【００８５】
図１７及び図１８は、本発明の複合型人工魚礁の作り方を示す説明図である。本発明の複合型人工魚礁では、普通又はポーラスコンクリートから成るブロック表面から、丸太類を突出させて設置する場合が多い。このとき、コンクリート成型における型枠内への丸太設定作業が大変である。自然の丸太は直径が色々で、曲がりや反りがあり、型枠に設けた丸太挿通用の穴に合わず、その不一致部分からコンクリートが漏れ、かつその仕上がりが汚くなるからである。
【００８６】
そこで、本発明では、図１７に示すように、前記丸太３を型枠３２にセットし、前記型枠３２内に生コンクリートを充填、投設、硬化させて一体成型することとし、
前記型枠３２の前記丸太３を突出させる位置に丸太３の直径より十分大きな寸法の孔部３３を設け、
その型枠表面に前記孔部３３を覆う板状カバー部材３４a、３４bを設け、
前記板状カバー部材３４a、３４bは分割構造とすると共に、その中心に前記木質系有機材料の直径より小さい値で定められる一定直径の規定穴３５を設け、
前記規定穴３５の直径に合わせて前記丸太３の前記カバー部材３４a、３４bの相当位置に前記規定穴３５の寸法より僅かに大きな径の等径処理を施し、
前記等径処理された丸太３を前記型枠にセットする際、前記等径処理部分に前記板状カバー部材３４a、３４bを嵌装、介在させて前記型枠３２に固定し、その後前記コンクリートを投設する。
【００８７】
型枠３２には、板状カバー部材３４a、３４bを固定するための止め金３５が設けられている。板状カバー部材３４a、３４bに設ける規定穴３５の寸法は、例えば丸太径20〜25cmに対し18cmである。
【００８８】
図１８に示すように、丸太３に等径処理を行うための装置としては、1対の高さ調節可能なクランプ装置３６、３７と、等径処理を施す位置に配置された丸のこ装置３８とで構成することができる。一方のクランプ装置３６は、丸太３の一端を複数ピンを押し当てて丸太３を水平軸Ｘ−Ｘ内で回転可能とする円盤３９を備えている。他方のクランプ装置３７には、丸太３の他方の端面中心を回転自在に支持する1点支持板４０を備えている。また、一方のクランプ装置３６には、前記円盤３９を回転駆動可能なハンドル４１を備えている。従って、丸のこ装置３８の刃を丸太３に当てつつハンドル４１を回し、丸太３を回すことにより、丸太３に直径Ｄｏの等径処理を施すことができる。
【００８９】
再度図１７において、図１８の装置を用いて等径処理した丸太３を型枠３２にセットし、板状カバー部材３４a、３４bを用いて、その穴３５を等径処理部分に嵌合し、止め金３５で固定し、コンクリートを投設することができる。
【００９０】
本発明の複合人工魚礁の作り方によれば、丸太３を型枠３２に工業品レベルで正確にセットすることができ、仕上がりも工業用品として十分品質保証できるだけの綺麗な仕上がりとすることができる。従来は原木をコンクリートに埋設する場合、予め型枠内に木材を垂直に立てて、この周辺にコンクリートを沿えて盛り付け硬化を待つだけであった。多面体構造物のコンクリート面から任意の方向に木材を突出させて構築する方法は経済面で高価であるため普及してない。本発明の複合型人工魚礁の作り方では、突設丸太をブロック側面等に容易、正確に設けることができる。
【００９１】
以上、各発明について最適の実施形態を示したが、この他、従来、河川敷で良く利用されている直径30cm級のポーラスコンクリートブロックに似て、大型、球形の複合型人工魚礁を作ることができる。例えば、直径50cmの球形ポーラスコンクリートブロックに１ないし複数の長さ1m級の丸太を串刺ししたようなものの例が有る。中心の丸太交差部分は、適宜固定用金具を使い、芯材を通して離脱しないよう工夫することができる。丸太消滅後は、その部分を２次形態に係る通路にすることができ、魚や微細生物を多量に育成できる。
【００９２】
本発明は、上記実施形態に限定されるものではなく、本発明の要旨を逸脱しない範囲で、適宜設計的変更を加えることができ、各種態様で実施できる。
【図面の簡単な説明】
【００９３】
【図１】本発明の一実施形態に係るポーラスコンクリートを用いた複合型人工漁礁の外観を示す斜視図である。
【図２】図１の正面図である。
【図３】図１に示した複合型人工魚礁に用いた丸太及び丸太埋設部の構成例を示す斜視図である。
【図４】丸太のコンクリート中への固定方式を側面図で示す説明図である。
【図５】丸太を背割りし、インサート金具を用いて固定する方式を断面図で示す説明図である。
【図６】丸太の芯材を貫通してボルト固定する方式を斜視図で示す説明図である。
【図７】丸太にインサイジング又は穿孔を設けた状態を示す斜視図である。
【図８】図７に示すインサイジングの形状例を示す断面図である。
【図９】ピット中への装填物の装填方式を示す断面図である。
【図１０】外表面に突出された丸太に、他の丸太を組付けた実施形態を示す斜視図である。
【図１１】本発明の一実施形態に係る井桁形の複合型人工魚礁に用いられる井桁構造の斜視図である。
【図１２】図１１の井桁構造内にポーラスコンクリートを2重構造で打設した状態を示す断面説明図である。
【図１３】本発明の一実施形他に係る升形の複合型人工魚礁に用いられる升構造を示す斜視図である。
【図１４】図１３の内部にポーラスコンクリートを2重構造で打設した状態を示す断面説明図である。
【図１５】升形の複合型人工魚礁の他の実施形態を示す斜視図である。
【図１６】図１５に示す升形構造の一辺についての断面構造を示す断面図である。
【図１７】本発明の複合人工漁礁の作り方を説明するための斜視図である。
【図１８】図１７に示した作り方で用いる丸太等径処理装置の構成例を示す説明図である。
【符号の説明】
【００９４】
１  ポーラスコンクリートを用いた複合型人工魚礁
２、２０  ブロック
３、７（７a、７b、７c、７d）、１９、３１  丸太
４  通路
５  傾斜面
６  縦穴
８、９  固定プレート
１０  鉄筋
１１  芯材（黒芯）
１２  ボルト
１３  背割り部
１４  インサート金具
１５  凹面
１６（１６a、１６b、１６c、１６d）  インサイジング
１７  装填物
１８  栓
２１  井桁形の複合型人工魚礁
２２  井桁組
２３  縦材
２４  横材
２５  隙間
２６、２８、２９  升形の複合型人工魚礁
２７  外枠材
３０  空洞
３２  型枠
３３  孔部
３４a、３４b  板状カバー部材
３５  規定穴
３６、３７  クランプ装置
３８  丸のこ装置
３９  円盤
４０  1点支持部
４１  ハンドル
Ｐ  横架丸太の固定ピッチ
ＰＣ１、ＰＣ２  ポーラスコンクリート
【図１】
2005143457.tif 000007
【図２】
2005143457.tif 000008
【図３】
2005143457.tif 000009
【図４】
2005143457.tif 000010
【図５】
2005143457.tif 000011
【図６】
2005143457.tif 000012
【図７】
2005143457.tif 000013
【図８】
2005143457.tif 000014
【図９】
2005143457.tif 000015
【図１０】
2005143457.tif 000016
【図１１】
2005143457.tif 000017
【図１２】
2005143457.tif 000018
【図１３】
2005143457.tif 000019
【図１４】
2005143457.tif 000020
【図１５】
2005143457.tif 000021
【図１６】
2005143457.tif 000022
【図１７】
2005143457.tif 000023
【図１８】
2005143457.tif 000024
【手続補正書】
【提出日】平成16年2月19日(2004.2.19)
【手続補正１】
【補正対象書類名】明細書
【補正対象項目名】００２６
【補正方法】変更
【補正の内容】
【００２６】
木材のリグニン、セルロース、ヘミセルローズ、デンプン等の多糖成分は、木材のピット構造を通じて緩効な給餌や、施肥機能を具現することができる。木材の表面又は内部に複数個のインサイジング加工を行い、これに海草や海藻に有用な窒素、リン酸等Fe、Si等の肥料成分を含む栄養液を含浸、含有させることができる。複合された木材は初期に溶脱するコンクリート中のアルカリ環境を大幅に緩和、又は軽減し、早期から藻場の繁殖その他の海洋生物の棲息空間として積極的に機能させることができる。